(57)【要約】  本発明に係るデジタルテレビ（１）は、ステップＳ１１２において、サーバ検索を行ない、ステップＳ２１２、ステップＳ２２２において、それぞれ、第１のレコーダ（２）、第２のレコーダ（２０）のＩＰアドレスを取得する。また、デジタルテレビ（１）は、ステップＳ１１３においてＨＤＭＩのＣＥＣでＩＰアドレスを要求し、デジタルテレビ（１）にＨＤＭＩケーブルで接続されているレコーダ（２）からＩＰアドレスを取得する。さらに、デジタルテレビ（１）は、ステップＳ１１７において、ＣＥＣで取得したＩＰアドレスとコンテンツ保存元のＩＰアドレスとを比較する。
2009016936.tif 000002
【特許請求の範囲】
【請求項１】
複数の外部機器（２、２０）とネットワーク（５）で接続され、前記複数の外部機器の中の一部の前記外部機器（２）とケーブル（４）で接続されたネットワークＡＶ機器（１）であって、
前記ネットワーク（５）を介して、前記複数の外部機器（２、２０）から第１の識別情報を検出する第１の検出部（１１、Ｓ１１２）と、
前記ケーブル（４）を介して、前記一部の外部機器（２）から第２の識別情報を検出する第２の検出部（１１、Ｓ１１３）と、
前記第１の検出部（１１、Ｓ１１２）で検出された第１の識別情報と、前記第２の検出部（１１、Ｓ１１３）で検出された第２の識別情報とを照合し、前記複数の外部機器（２、２０）のうち前記ネットワークＡＶ機器（１）と前記ケーブル（４）により接続されている前記外部機器（２）を特定する判断部（１１、Ｓ１１７）とを備える、ネットワークＡＶ機器。
【請求項２】
前記第１の識別情報と前記第２の識別情報とが一致する場合には、一致した第２の識別情報に対応する前記外部機器は前記ネットワークＡＶ機器（１）と前記ケーブル（４）により接続されていると判断し、前記ケーブル（４）を経由して、前記外部機器に対して、コンテンツを出力する、請求の範囲第１項に記載のネットワークＡＶ機器。
【請求項３】
前記第１の識別情報と前記第２の識別情報とが一致しない場合には、一致した第２の識別情報に対応する前記外部機器は前記ネットワークＡＶ機器（１）と前記ケーブル（４）により接続されていないと判断し、前記ネットワーク（５）を経由して、前記外部機器に対して、コンテンツを出力する、請求の範囲第１項に記載のネットワークＡＶ機器。
【請求項４】
ユーザからの指示を受付ける入力部（２２）と、
前記入力部（２２）への指示に応じて前記複数の外部機器（２、２０）から１つの前記外部機器を選択する選択部（２１、Ｓ１１６）と、
前記選択部（２１、Ｓ１１６）により選択された前記外部機器が、前記判断部（１１、Ｓ１１７）により前記ネットワークＡＶ機器（１）と前記ケーブル（４）により接続されていると判断された前記外部機器である場合、前記選択された外部機器に、前記ケーブル（４）を介してコンテンツを送信させる指示部（１１、Ｓ１１９）とをさらに備える、請求の範囲第１項に記載のネットワークＡＶ機器。
【請求項５】
前記選択された外部機器が前記ケーブル（４）を介して送信したコンテンツを受信するケーブル受信部（１９）と、
前記選択された外部機器が前記ネットワーク（５）を介して送信したコンテンツを受信するネットワーク受信部（１５）とをさらに備え、
前記選択された外部機器が、前記判断部（１１、Ｓ１１７）により前記ネットワークＡＶ機器と前記ケーブルにより接続されていると判断された前記外部機器である場合、前記ケーブル受信部（１９）を選択して前記コンテンツの受信を行なう、請求の範囲第４項に記載のネットワークＡＶ機器。
【請求項６】
前記第２の検出部（１１、Ｓ１１３）は、前記選択部（２１、Ｓ１１６）による前記外部機器の選択に応じて、前記第２の識別情報の検出を行なう、請求の範囲第４項に記載のネットワークＡＶ機器。
【請求項７】
ユーザからの指示を受付ける入力部（２２）と、
前記入力部（２２）への指示に応じて前記複数の外部機器から１つの前記外部機器を選択する選択部（２１、Ｓ１１６）と、
前記選択部（２１、Ｓ１１６）により選択された前記外部機器が、前記判断部（１１、Ｓ１１７）により前記ネットワークＡＶ機器（１）と前記ケーブル（４）により接続されていないと判断された前記外部機器である場合、選択された前記外部機器に、前記ネットワーク（５）を介してコンテンツを送信させる指示部（１１、Ｓ１２２）とをさらに備える、請求の範囲第１項に記載のネットワークＡＶ機器。
【請求項８】
前記ネットワーク（５）を介して受信したコンテンツをデコードするデコーダ（１６）をさらに備える請求の範囲第７項に記載のネットワークＡＶ機器。
【請求項９】
コンテンツを記憶する記憶部（１４）と、
前記外部機器からのコンテンツ要求を受信する要求受信部（１９）と、
前記コンテンツ要求を送信した前記外部機器が、前記判断部（１１、Ｓ１１７）により前記ネットワークＡＶ機器と前記ケーブル（４）により接続されていると判断された前記外部機器である場合、前記ケーブル（４）を介して前記コンテンツ要求に応じたコンテンツを前記コンテンツ要求を送信した前記外部機器に送信する送信部（１９）とをさらに備える請求の範囲第１項に記載のネットワークＡＶ機器。
【請求項１０】
前記送信部（１９）は、前記コンテンツ要求を送信した前記外部機器が、前記判断部（１１、Ｓ１１７）により前記ネットワークＡＶ機器（１）と前記ケーブル（４）により接続されていると判断された前記外部機器である場合、前記コンテンツ要求を送信した前記外部機器に、前記ケーブル（４）を介したコンテンツの受信および受信したコンテンツの再生の指示をさらに送信する、請求の範囲第９項に記載のネットワークＡＶ機器。
【請求項１１】
前記第２の検出部（１１、Ｓ１１３）は、前記要求受信部（１９）による前記コンテンツ要求の受信に応じて、前記第２の識別情報の検出を行なう、請求の範囲第９項に記載のネットワークＡＶ機器。
【請求項１２】
コンテンツを記憶する記憶部（１４）と、
前記外部機器からのコンテンツ要求を受信する要求受信部（１９）と、
前記コンテンツ要求を送信した前記外部機器が、前記判断部（１１、Ｓ１１７）により前記ネットワークＡＶ機器（１）と前記ケーブル（４）により接続されていないと判断された前記外部機器である場合、前記ネットワーク（５）を介して前記コンテンツ要求に応じたコンテンツを前記コンテンツ要求を送信した前記外部機器に送信する送信部（１９）とをさらに備える請求の範囲第１項に記載のネットワークＡＶ機器。
【請求項１３】
前記送信部（１９）は、前記コンテンツ要求を送信した前記外部機器に、前記コンテンツをデコードさせる指示をさらに送信する、請求の範囲第１２項に記載のネットワークＡＶ機器。
【請求項１４】
前記第１の検出部（１１、Ｓ１１２）は、前記外部機器の起動に応じて、起動した前記外部機器の前記第１の識別情報の検出を行なう、請求の範囲第１項に記載のネットワークＡＶ機器。
【請求項１５】
前記第２の検出部は、前記外部機器への前記ケーブルの抜入を検知し、前記ケーブルの抜入の検知に応じて、前記第２の識別情報の検出を行なう、請求の範囲第１項に記載のネットワークＡＶ機器。
【請求項１６】
前記ケーブル（４）はＨＤＭＩケーブルである請求の範囲第１項に記載のネットワークＡＶ機器。
【請求項１７】
前記ケーブル（４）の制御用信号はＣＥＣ信号である請求の範囲第１６項に記載のネットワークＡＶ機器。
【請求項１８】
前記ケーブル（４）の制御用信号はＥＤＩＤ信号である請求の範囲第１６項に記載のネットワークＡＶ機器。
【請求項１９】
前記ケーブル（４）の制御用信号はＤＤＣ信号である請求の範囲第１６項に記載のネットワークＡＶ機器。
【請求項２０】
前記第１の識別情報および前記第２の識別情報はＩＰアドレスである請求の範囲第１項に記載のネットワークＡＶ機器。
【請求項２１】
前記第１の識別情報および前記第２の識別情報はＭＡＣアドレスである請求の範囲第１項に記載のネットワークＡＶ機器。
【請求項２２】
前記第１の識別情報および前記第２の識別情報はホストネームである請求の範囲第１項に記載のネットワークＡＶ機器。
【請求項２３】
請求の範囲第２項から第２２項のいずれか１項に記載のネットワークＡＶ機器を複数備えるＡＶネットワークシステム。
【発明の詳細な説明】
【技術分野】
【０００１】
本発明は、ＡＶ（Ａｕｄｉｏ−ｖｉｓｕａｌ）機器に関し、特にネットワークに接続されたネットワークＡＶ機器に関する。さらに、本発明は、相互に接続された複数のネットワークＡＶ機器からなるＡＶネットワークシステムに関する。
【背景技術】
【０００２】
現在、デジタル放送が視聴可能なデジタルテレビや、内蔵したＨＤＤ（Ｈａｒｄ  Ｄｉｓｋ  Ｄｒｉｖｅ）に放送コンテンツなどを保存することができるＨＤＤレコーダなどのＡＶ機器が普及している。さらに、最近ではそれらのＡＶ機器がＩＰプロトコルを利用したネットワークでインターネットや、パソコンなどと接続できるようになってきている。【０００３】
さらには、このネットワークでＡＶ機器やパソコンなどを相互接続し、家庭内のあらゆる場所で、さまざまな機器に保存されているコンテンツを視聴できるようにする仕組みがＤＬＮＡ（Ｄｉｇｉｔａｌ  Ｌｉｖｉｎｇ  Ｎｅｔｗｏｒｋ  Ａｌｌｉａｎｃｅ）により提唱されている。【０００４】
ＤＬＮＡ対応機器が普及し、ネットワークにより相互に接続される機器が増えると、あるコンテンツを視聴しようとして機器を選択する際に、目の前にある機器以外の機器も検出される。その上、機器を特定する情報はＩＰアドレス、ＭＡＣアドレス、ホストネームなどのネットワーク識別情報しかないので、ユーザが複数の機器からコンテンツが保存されている機器を特定するということが困難になるという問題がある。【０００５】
この問題を解決する方法としては次のようなものがある。特許文献１（特開２００６−３４５４７９号公報）には、実際に特定された機器本体の表示デバイスからの映像出力、ＬＥＤからの光の明滅、スピーカからの音声出力などを用いて機器本体が応答することによって、目の前にある機器を特定するという方法が開示されている。
【特許文献１】特開２００６−３４５４７９号公報
【発明の開示】
【発明が解決しようとする課題】
【０００６】
上記特許文献１に記載の方法では、コンテンツを保存している機器の特定はできるが、その機器と他の機器とがどのように接続されているか分からない。そのため、コンテンツが保存されている機器であるＨＤＤレコーダと、コンテンツを表示する機器であるデジタルテレビとが、映像と音声の信号を伝送するためのケーブル、例えばＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）に準拠するケーブルで接続されているような場合に次のような問題がある。【０００７】
すなわち、映像音声信号を、出来るだけネットワークの負荷を低減するように送信し、よりきれいな映像を安定してデジタルテレビで視聴するためには、映像音声信号を、ネットワークを経由せずにＨＤＭＩケーブルにより伝送するのが望ましい。特許文献１に記載の方法では、デジタルテレビとＨＤＤレコーダとの接続方法を特定できないので、ネットワークを使ってデータを伝送することになってしまう。【０００８】
さらに、上記特許文献１に記載の方法では、コンテンツが保存されている機器が目の前にあるということは特定できる。しかし、コンテンツ一覧で保存されていたコンテンツを視聴したい場合には、ユーザ自らがデジタルテレビの入力切り替えを行ない、リモコンをコンテンツが保存されている機器のリモコンに持ち替えるという手間が必要になる。【０００９】
本発明は、上記のような問題を解決するためになされたものであって、ネットワーク上のどの機器が、ケーブルで接続されている機器であるか特定できる機器を提供することを課題とする。【００１０】
さらには、選択されたコンテンツを出力する際に、コンテンツが保存されている機器の映像音声の出力先と、コンテンツを視聴する機器の入力先を自動的に選択できる機器を提供することを課題とする。
【課題を解決するための手段】
【００１１】
１つの局面における本願発明は、複数の外部機器とネットワークで接続され、外部機器の中の一部の外部機器とケーブルで接続されたネットワークＡＶ機器であって、ネットワークを介して、複数の外部機器から第１の識別情報を検出する第１の検出部と、ケーブルを介して、一部の外部機器から第２の識別情報を検出する第２の検出部と、第１の検出部で検出された第１の識別情報と、第２の検出部で検出された第２の識別情報とを照合し、複数の外部機器のうちネットワークＡＶ機器とケーブルにより接続されている外部機器を特定する判断部とを備える。【００１２】
好ましくは、第１の識別情報と第２の識別情報とが一致する場合には、一致した第２の識別情報に対応する外部機器はネットワークＡＶ機器とケーブルにより接続されていると判断し、ケーブルを経由して、外部機器に対して、コンテンツを出力する。【００１３】
好ましくは、第１の識別情報と第２の識別情報とが一致しない場合には、一致した第２の識別情報に対応する外部機器はネットワークＡＶ機器とケーブルにより接続されていないと判断し、ネットワークを経由して、当該外部機器に対して、コンテンツを出力する。【００１４】
好ましくは、ユーザからの指示を受付ける入力部と、入力部への指示に応じて複数の外部機器から１つの外部機器を選択する選択部と、選択部により選択された外部機器が、判断部によりネットワークＡＶ機器とケーブルにより接続されていると判断された外部機器である場合、選択された外部機器に、ケーブルを介してコンテンツを送信させる指示部とをさらに備える。【００１５】
さらに好ましくは、選択された外部機器がケーブルを介して送信したコンテンツを受信するケーブル受信部と、選択された外部機器がネットワークを介して送信したコンテンツを受信するネットワーク受信部とをさらに備え、選択された外部機器が、判断部によりネットワークＡＶ機器とケーブルにより接続されていると判断された機器である場合、ケーブル受信部を選択してコンテンツの受信を行なう。【００１６】
好ましくは、第２の検出部は、選択部による外部機器の選択に応じて、第２の識別情報の検出を行なう。【００１７】
好ましくは、ユーザからの指示を受付ける入力部と、入力部への指示に応じて複数の外部機器から１つの外部機器を選択する選択部と、選択部により選択された外部機器が、判断部によりネットワークＡＶ機器とケーブルにより接続されていないと判断された外部機器である場合、選択された外部機器に、ネットワークを介してコンテンツを送信させる指示部とをさらに備える。【００１８】
さらに好ましくは、ネットワークを介して受信したコンテンツをデコードするデコーダをさらに備える。【００１９】
好ましくは、コンテンツを記憶する記憶部と、外部機器からのコンテンツ要求を受信する要求受信部と、コンテンツ要求を送信した外部機器が、判断部によりネットワークＡＶ機器とケーブルにより接続されていると判断された外部機器である場合、ケーブルを介してコンテンツ要求に応じたコンテンツをコンテンツ要求を送信した外部機器に送信する送信部とをさらに備える。【００２０】
さらに好ましくは、送信部は、コンテンツ要求を送信した外部機器が、判断部によりネットワークＡＶ機器とケーブルにより接続されていると判断された外部機器である場合、コンテンツ要求を送信した外部機器に、ケーブルを介したコンテンツの受信および受信したコンテンツの再生の指示をさらに送信する。【００２１】
さらに好ましくは、第２の検出部は、要求受信部によるコンテンツ要求の受信に応じて、第２の識別情報の検出を行なう。【００２２】
好ましくは、コンテンツを記憶する記憶部と、外部機器からのコンテンツ要求を受信する要求受信部と、コンテンツ要求を送信した外部機器が、判断部によりネットワークＡＶ機器とケーブルにより接続されていないと判断された外部機器である場合、ネットワークを介してコンテンツ要求に応じたコンテンツをコンテンツ要求を送信した外部機器に送信する送信部とをさらに備える。【００２３】
さらに好ましくは、送信部は、コンテンツ要求を送信した外部機器に、コンテンツをデコードさせる指示をさらに送信する。【００２４】
好ましくは、第１の検出部は、外部機器の起動に応じて、起動した外部機器の第１の識別情報の検出を行なう。【００２５】
好ましくは、第２の検出部は、外部機器へのケーブルの抜入を検知し、ケーブルの抜入の検知に応じて、第２の識別情報の検出を行なう。【００２６】
好ましくは、ケーブルはＨＤＭＩケーブルである。
さらに好ましくは、ケーブルの制御用信号はＣＥＣ信号である。【００２７】
さらに好ましくは、ケーブルの制御用信号はＥＤＩＤ信号である。
さらに好ましくは、ケーブルの制御用信号はＤＤＣ信号である。【００２８】
好ましくは、第１のネットワーク識別情報および第２のネットワーク識別情報はＩＰアドレスである。【００２９】
好ましくは、第１のネットワーク識別情報および第２のネットワーク識別情報はＭＡＣアドレスである。【００３０】
好ましくは、第１のネットワーク識別情報および第２のネットワーク識別情報はホストネームである。【００３１】
他の局面に係る本願発明は、上述のネットワークＡＶ機器を複数備えるＡＶネットワークシステムである。
【発明の効果】
【００３２】
本発明によれば、ネットワーク機器は、ネットワークを介して取得した外部機器の識別情報と、ケーブルを介して取得した外部機器の識別情報とを比較する。その結果、ネットワークで接続された外部機器がケーブルでも接続されているかどうかを判断することができる。
【図面の簡単な説明】
【００３３】
【図１】発明の実施の形態１のネットワークＡＶ機器によって構成されるＡＶネットワークシステムの構成例を示す図である。
【図２】デジタルテレビ１の内部構成例を示す図である。
【図３】第１のレコーダ１２０の内部構成例を示すブロック図である。
【図４】ＨＤＭＩケーブル４が接続される入出力部の構成を示すブロック図である。
【図５】デジタルテレビ１、レコーダ２、レコーダ２０の動作について示すシーケンス図である。
【図６】発明の実施の形態２のネットワークＡＶ機器によって構成されるＡＶネットワークシステムの構成例を示す図である。
【図７】デジタルテレビ１、デジタルテレビ１０、レコーダ２の動作について示すシーケンス図である。
【符号の説明】
【００３４】
１  デジタルテレビ、２  第１のレコーダ、２０  第２のレコーダ、３  デジタルテレビ１のリモコン、３０  第１のレコーダ２のリモコン、４  ＨＤＭＩケーブル、５  ＡＶネットワーク、６  インターネット、７  ブロードバンドルータ、１１  デジタルテレビ１のＣＰＵ、１２  デジタルテレビ１のリモコン受信部、１３  デジタルテレビ１の内部バス、１４  デジタルテレビ１のメモリ、１５  デジタルテレビ１のネットワークインタフェース、１６  デジタルテレビ１のデコーダ、１７  ディスプレイコントローラ、１８  ディスプレイ、１９  外部入力部、２１  第１のレコーダ２のＣＰＵ、２２  第１のレコーダ２のリモコン受信部、２３  第１のレコーダ２の内部バス、２４  第１のレコーダ２のメモリ、２５  第１のレコーダ２のネットワークインタフェース、２６  第１のレコーダ２のデコーダ、２７  記録制御部、２８  記録媒体、２９  外部出力部、４０  ＨＤＭＩコネクタ、４１  信号変換部、４２  信号復元部。
【発明を実施するための最良の形態】
【００３５】
以下において、本発明の実施の形態について図面を参照して詳しく説明する。なお、図中同一符号は同一または相当部分を示す。【００３６】
［実施の形態１］
以下に、この発明の実施の形態１のネットワークＡＶ機器について説明する。【００３７】
（１−１  ＡＶネットワークシステムの構成）
図１は、この発明の実施の形態１のネットワークＡＶ機器によって構成されるＡＶネットワークシステムの構成例を示す図である。図１において、ネットワークＡＶ機器の例として、デジタルテレビ１と、第１のレコーダ２と、第２のレコーダ２０とを示している。デジタルテレビ１および第１のレコーダ２は、それぞれ、リモコン３、リモコン３０によって操作される。なお、図示していないが、第２のレコーダ２０の操作のためのリモコンも存在する。ＨＤＭＩケーブル４は、デジタルテレビ１とレコーダ２とを接続する。ＡＶネットワーク５とインターネット６とは、ブロードバンドルータ７で接続されている。【００３８】
デジタルテレビ１は、ネットワークＡＶ機器の一例である。デジタルテレビ１は、例えば、ブラウン管（ＣＲＴ：Ｃａｔｈｏｄｅ  Ｒａｙ  Ｔｕｂｅ）や、液晶ディスプレイ（ＬＣＤ：Ｌｉｑｕｉｄ  Ｃｒｙｓｔａｌ  Ｄｉｓｐｌａｙ）、プラズマディスプレイ（ＰＤＰ：Ｐｌａｓｍａ  Ｄｉｓｐｌａｙ  Ｐａｎｅｌ）などを備えている。また、デジタルテレビ１は、ＡＶネットワーク５で接続された第１のレコーダ２および第２のレコーダ２０のコンテンツをネットワーク経由で受信し、再生することができる。さらに、デジタルテレビ１は、第１のレコーダ２が再生したコンテンツを、ＨＤＭＩケーブル４を経由して、入力することにより視聴できる。なお、本実施の形態においてコンテンツとは、映像信号、音声信号、あるいはその両方からなる情報のことをいうものとする。【００３９】
また、第１のレコーダ２および第２のレコーダ２０は、それぞれ、ネットワークＡＶ機器の一例である。第１のレコーダ２および第２のレコーダ２０は、例えば、ＤＶＤ（Ｄｉｇｉｔａｌ  Ｖｅｒｓａｔｉｌｅ  Ｄｉｓｃ）レコーダ、ＨＤＤレコーダ、ＢＤ（Ｂｌｕ−ｒａｙ  Ｄｉｓｃ）レコーダ、ホームサーバ、パソコンなどの記録再生機器である。第１のレコーダ２および第２のレコーダ２０は、デジタル放送あるいはアナログ放送で提供される番組コンテンツや、デジタルカメラあるいはデジタルビデオカメラなどで撮影された映像あるいは音楽情報を、内蔵するＨＤＤやＤＶＤなどに記録する機能を備えている。また、第１のレコーダ２および第２のレコーダ２０は、ＨＤＤやＤＶＤなどの記録媒体のコンテンツを再生する機能を備えている。さらに、第１のレコーダ２および第２のレコーダ２０は、デジタルデータとして保存されたコンテンツのリストを、ネットワークを経由して他の機器から閲覧できるようにするとともに、選択されたコンテンツをデジタルテレビ１のような表示機器に転送できる機能を備えている。【００４０】
ＨＤＭＩケーブル４は第１のレコーダ２とデジタルテレビ１とを接続するケーブルであって、第１のレコーダ２が再生したデジタルの映像信号と音声信号とを一本のケーブルで転送することができる。また、ＣＥＣ（Ｃｏｎｓｕｍｅｒ  Ｅｌｅｃｔｒｏｎｉｃｓ  Ｃｏｎｔｒｏｌ）信号により、ＨＤＭＩケーブル４で接続された機器は、相互に制御を行なうことができる。【００４１】
ＡＶネットワーク５は、一般の家庭内に構築可能なネットワークである。ＡＶネットワーク５は、デジタルテレビ１、第１のレコーダ２、第２のレコーダ２０、ブロードバンドルータ７や、図示しないパソコンなどのその他の機器をＥｔｈｅｒｎｅｔ（登録商標）や無線ＬＡＮ（Ｌｏｃａｌ  Ａｒｅａ  Ｎｅｔｗｏｒｋ）、電力線通信（ＰＬＣ：Ｐｏｗｅｒ  Ｌｉｎｅ  Ｃｏｍｍｕｎｉｃａｔｉｏｎｓ）などで接続する。ＡＶネットワーク５で接続された機器は、ＩＰ（Ｉｎｔｅｒｎｅｔ  Ｐｒｏｔｏｃｏｌ）を使って相互に通信することができる。なお、ネットワークを介したネットワークＡＶ機器間の相互接続については、ＤＬＮＡが業界標準を策定している。デジタルテレビ１や第１のレコーダ２、第２のレコーダ２０は、ＤＬＮＡに準拠した相互接続が可能となっているものとする。【００４２】
インターネット６は外部ネットワークの一例である。ブロードバンドルータ７は家庭内のネットワークに接続された機器がインターネット６にアクセスできるようにするためのものである。ブロードバンドルータ７は、インターネット６にアクセスするためのグローバルＩＰアドレスをサービスプロバイダから取得するとともに、グローバルＩＰアドレスと家庭内のプライベートＩＰアドレスを相互に変換する機能を備えている。また、ブロードバンドルータ７は、ＤＨＣＰ（Ｄｙｎａｍｉｃ  Ｈｏｓｔ  Ｃｏｎｆｉｇｕｒａｔｉｏｎ  Ｐｒｏｔｏｃｏｌ）サーバ機能を備えており、家庭内のネットワークに接続した機器がＩＰアドレスを自動取得する設定になっている場合に、各機器にＩＰアドレスを割り当てることができる。【００４３】
（１−２  ネットワークＡＶ機器の内部構成例）
図２は、図１に示したデジタルテレビ１の内部構成例を示す図である。【００４４】
デジタルテレビ１のＣＰＵ１１は、リモコン３からの信号を基に、デジタルテレビ１全対の動作の制御を行なう。ＣＰＵ１１にはリモコン受信部１２が接続されており、リモコン受信部１２は、リモコン３からの信号を基に、ＣＰＵ１１に指示を送る。例えば、リモコン３が、赤外線通信を行なう場合には、リモコン受信部１２は、リモコン３からの赤外線信号をコマンドに変換し、ＣＰＵ１１に通知を行なう。コマンドを受信したＣＰＵ１１は、内部バス１３を経由して接続されたメモリ１４に格納されたプログラムに基づいて所定の動作を行なう。【００４５】
ネットワークインタフェース１５は、例えばＥｔｈｅｒｎｅｔ（登録商標）などでネットワークに接続された他の機器と通信を行なうデバイスである。ネットワークインターフェース１５は、ネットワークに接続された他の機器が持つコンテンツリストや、圧縮されたストリームデータなどを受信することができる。【００４６】
ネットワークインタフェース１５がストリームデータを受信した場合、ストリームデータは、直接、または内部バス１３を経由して、デコーダ１６に転送される。デコーダ１６は受信したストリームデータをデジタルの映像信号や音声信号へと伸張する。【００４７】
デコーダ１６は、映像信号については、ディスプレイコントローラ１７に転送する。さらに、ディスプレイコントローラ１７は、映像信号をディスプレイ１８に対応したフォーマットに変換するとともに、変換された映像信号にＣＰＵ１１が作成したユーザインタフェース画面などを合成するなどして、映像信号をディスプレイ１８に転送する。デコーダ１６は、音声信号については、図示しないＤＡコンバータやアンプを経由して、スピーカに出力する。【００４８】
また、ディスプレイコントローラ１７は、外部入力部１９が、第１のレコーダ２から、ＨＤＭＩケーブル４を経由して入力した映像信号を受信して、ディスプレイ１８に転送することもできる。【００４９】
図３は、図１に示した第１のレコーダ２の内部構成例を示すブロック図である。第１のレコーダ２のＣＰＵ２１は、デジタルテレビ１のＣＰＵ１１と同様に、リモコン３０からの信号を、リモコン受信部２２を経由して受信し、メモリ２４に格納されたプログラムに基づいて所定の動作を行う。また、ネットワークインターフェース２５の動作は、デジタルテレビ１のネットワークインターフェース１５の動作と同様である。【００５０】
デジタルテレビ１と異なる点として、第１のレコーダ２は、記録制御部２７と記録媒体２８を備えている。記録媒体２８は、例えば、ＨＤＤやＤＶＤ、ＢＤなどである。記録制御部２７は、ＣＰＵ２１からの指示に従い、記録媒体２８に、映像、画像などのコンテンツ、あるいは、図示しないチューナから受信したストリームデータを保存する。また、記録制御部２７は、ＣＰＵ２１からの指示に従い、記録媒体２８からデータを読み出す。【００５１】
記録媒体２８に保存されたストリームデータを再生する場合には、記録制御部２７は、記録媒体２８から保存されたストリームデータを読み出すとともに、直接、または内部バス２３を介してデコーダ２６に転送する。【００５２】
デコーダ２６は受信したストリームデータをデジタルの映像信号や音声信号へと伸張し、それぞれの信号を外部出力部２９に転送する。外部出力部２９は、映像信号にＣＰＵ２１が作成したユーザインタフェース画面などを合成するなどした信号をＨＤＭＩ信号に変換し、ＨＤＭＩ信号をＨＤＭＩケーブル４を介してデジタルテレビ１に出力する。【００５３】
また、第１のレコーダ２は、記録媒体２８に保存されたストリームデータを、ＡＶネットワーク５に接続された他の機器からの要求に基づいて、ネットワークインタフェース２５を介して、他の機器に転送させることもできる。【００５４】
なお、第２のレコーダ２０についても、第１のレコーダ２と同じ内部構成を持つものとする。【００５５】
（１−３  ケーブル接続部の構成）
図４は、図１に示したデジタルテレビ１と第１のレコーダ２とがＨＤＭＩケーブル４で接続される場合のＨＤＭＩケーブル４が接続される入出力部の構成を示すブロック図である。図４において、ＨＤＭＩケーブル４はＨＤＭＩコネクタ４０により、デジタルテレビ１と第１のレコーダ２とを接続している。【００５６】
この接続例において、出力側である第１のレコーダ２で再生された映像信号および音声信号は、外部出力部２９の信号変換部４１で、ＴＭＤＳ（Ｔｒａｎｓｉｔｉｏｎ  Ｍｉｎｉｍｉｚｅｄ  Ｄｉｆｆｅｒｅｎｔｉａｌ  Ｓｉｇｎａｌｉｎｇ）と呼ばれる４対の差動信号に変換される。変換された映像信号および音声信号は、ＨＤＭＩケーブル４を経由して、入力側であるデジタルテレビ１の外部入力部１９に転送される。【００５７】
入力されたＴＭＤＳ信号は外部入力部１９の信号復元部４２で元の映像信号および音声信号に復元される。復元された映像はディスプレイに表示され、復元された音声はスピーカから出力される。【００５８】
また、ＨＤＭＩケーブル４は、ＴＭＤＳ信号のほか、家電機器の相互制御のためのＣＥＣ信号や、接続機器の相互認証のためのＥＤＩＤ（Ｅｘｔｅｎｄｅｄ  Ｄｉｓｐｌａｙ  Ｉｄｅｎｔｉｆｉｃａｔｉｏｎ  ｄａｔａ）信号またはＤＤＣ（Ｄｉｓｐｌａｙ  Ｄａｔａ  Ｃｈａｎｎｅｌ）信号などを伝達する。これらの信号はＣＰＵ１１およびＣＰＵ２１により制御可能となっている。【００５９】
ここで、本実施の形態におけるＨＤＭＩのＣＥＣ信号について説明しておく。ＣＥＣ信号は家電機器の相互制御のための１ビットシリアル信号である。ＨＤＭＩ仕様では、電源操作や入力切り替えなど各ベンダー共通につかえる汎用コマンドのための予め決まっている制御コードもあるが、ベンダー独自のデータをやりとりするための制御コードもある。【００６０】
（１−４  各機器の動作）
図５は、図１に示したデジタルテレビ１の画面上で、ネットワークに接続されている第１のレコーダ２および第２のレコーダ２０の保存するコンテンツ一覧を表示させ、第１のレコーダ２あるいは第２のレコーダ２０に保存されたコンテンツをデジタルテレビ１に出力させる場合の、デジタルテレビ１、第１のレコーダ２、および、第２のレコーダ２０の動作について示すシーケンス図である。【００６１】
デジタルテレビ１、第１のレコーダ２、第２のレコーダ２０は、それぞれ、ユーザの指示に応じて起動するとともに、ＤＨＣＰサーバ機能を備えるブロードバンドルータ７からＩＰアドレスを取得する（ステップＳ１１１、ステップＳ２１１、ステップＳ２２１）。ただし、ＩＰアドレスは、それぞれの機器を識別するための識別情報の一例であり、ＭＡＣアドレス、あるいはホストネームなどであってもよい。なお、これらの機器が取得するＩＰアドレスは、ＤＨＣＰサーバに各機器のＭＡＣアドレスを登録するなどの設定を行なわない限り、起動するたびに異なる場合がある。取得されたＩＰアドレスは、それぞれの機器のメモリに記憶される。【００６２】
デジタルテレビ１は、ステップＳ１１２において、ＡＶネットワーク５に接続されたコンテンツサーバの検索を行なう。コンテンツサーバとはＡＶネットワーク５に接続された機器のうちコンテンツを保存している機器のことをいう。本実施の形態においては、レコーダ２とレコーダ２０とがコンテンツサーバの役割を果たすことになるので、ステップＳ２１２、ステップＳ２２２において、それぞれ、レコーダ２とレコーダ２０とが応答を返信する。この返信内容によって、デジタルテレビ１は、レコーダ２、レコーダ２０、および、その他のネットワークに接続された機器の機種名やＩＰアドレス、ＭＡＣアドレス、ホストネームなどの情報のほか、ネットワークを介したコンテンツリストの提供や、選択されたコンテンツを転送する機能をもつかどうかなどを検出することができる。ただし、この段階では、デジタルテレビ１はどのＩＰアドレスが実際にどこにある機器のものかを知ることはできない。【００６３】
なお、ここではサーバの検索に対して第１のレコーダ２、第２のレコーダ２０が応答を返すようにしている。しかし、第１のレコーダ２、第２のレコーダ２０は、定期的なサーバの検索を待たずして、応答をネットワークにブロードキャストするようにしてもよい。【００６４】
さらに、デジタルテレビ１は、コンテンツサーバが検出されると、ステップＳ１１３において、ＨＤＭＩで接続している機器に対して、ＨＤＭＩのＣＥＣ信号により、接続先の機器のＩＰアドレスを要求する。ここでも、ＩＰアドレスは、それぞれの機器を識別するための識別情報の一例であって、ＭＡＣアドレス、あるいはホストネームなどであってもよい。また、デジタルテレビ１は、ＨＤＭＩのＣＥＣ信号の代わりに、ＥＤＩＤ信号、またはＤＤＣ信号により、識別情報を取得してもよい。図１において、デジタルテレビ１にＨＤＭＩで接続されている機器は第１のレコーダ２であるため、ステップＳ２１３において、第１のレコーダ２はステップＳ２１１で取得したＩＰアドレスをＨＤＭＩのＣＥＣ信号にて応答する。この応答内容によって、デジタルテレビ１は、第１のレコーダ２のＩＰアドレスを検出する。なお、本実施の形態では、デジタルテレビ１および第１のレコーダ２は、それぞれ、ＣＥＣ信号のベンダー独自の制御コードを用いてＩＰアドレスの要求とＩＰアドレスの応答とを行なうものとする。【００６５】
ユーザは、レコーダ２やレコーダ２０に保存されたコンテンツをデジタルテレビ１で視聴したいとき、リモコン３を操作する。その操作に応じて、デジタルテレビ１は、ステップＳ１１２のサーバ検索に対し応答したサーバに対して、コンテンツリストを要求する（ステップＳ１１４）。レコーダ２とレコーダ２０とは、それぞれ、コンテンツリスト要求を受信し、ステップＳ２１４およびステップＳ２２３において、コンテンツリストを応答する。デジタルテレビ１は、コンテンツリスト応答に基づき、ディスプレイ１８に、デジタルテレビ１で視聴できるコンテンツの一覧を表示する（ステップＳ１１５）。【００６６】
次に、ステップＳ１１６において、デジタルテレビ１は、ユーザによるリモコン３の操作に応じ、コンテンツ一覧からデジタルテレビ１で視聴されるコンテンツを選択する。【００６７】
次に、ステップＳ１１７において、デジタルテレビ１は、ステップＳ１１６で選択されたコンテンツの保存元サーバのＩＰアドレスと、ＨＤＭＩのＣＥＣ信号で取得したＨＤＭＩで接続された機器のＩＰアドレスとを比較する。【００６８】
ＨＤＭＩで接続された機器のＩＰアドレスが、選択されたコンテンツの保存元サーバのＩＰアドレスと一致する場合には、デジタルテレビ１は、ステップＳ１１８において、デジタルテレビ１の入力をＨＤＭＩ入力に切り替える。また、デジタルテレビ１は、ステップＳ１１９において、第１のレコーダ２に対して、ＨＤＭＩのＣＥＣ信号によって、あるいは、ネットワークを経由した信号によって、選択したコンテンツのデコード開始とＨＤＭＩ出力とを指示する。デコード開始要求を受けた第１のレコーダ２は、ステップＳ２１５において選択されたコンテンツのストリームデータを記録媒体２８から順次読み出す。また、第１のレコーダ２は、読み出したストリームデータをデコーダ２６でデコードし、デコードされた映像信号および音声信号をＨＤＭＩで出力する。デジタルテレビ１はステップＳ１２０において入力された映像信号をディスプレイに表示し、入力された音声信号をスピーカに出力する。【００６９】
なお、ＨＤＭＩで接続された機器が二つ以上ある場合には、デジタルテレビ１は、それぞれの機器に対してＣＥＣ信号でＩＰアドレスを要求する。そして、デジタルテレビ１は、ステップＳ１１８では保存元サーバとＩＰアドレスが一致する機器が接続されているＨＤＭＩ入力に切り替える。【００７０】
一方、ステップＳ１１６において、第２のレコーダ２０に保存されているコンテンツを選択した場合には、ステップＳ１１７でＨＤＭＩのＣＥＣで取得したＩＰアドレスはレコーダ２０のものと一致しない。そのため、デジタルテレビ１はステップＳ１２１において、ネットワーク経由でコンテンツのストリームデータを受信するモードに切り替える。デジタルテレビ１は、ステップＳ１２２において、コンテンツ保存元である第２のレコーダ２０に対して、選択したコンテンツのストリームデータの要求を行なう。ストリームデータ転送要求を受けた第２のレコーダ２０は、ステップＳ２２４において、選択されたコンテンツのストリームデータを記録媒体２１から読み出す。また、第２のレコーダ２０は、ストリームデータをネットワークインタフェース１５からデジタルテレビ１に対してネットワークを経由して転送する。デジタルテレビ１は、受信したストリームデータをデコードし、デコードした映像信号をディスプレイに表示し、デコードした音声信号をスピーカに出力する。【００７１】
本実施の形態では、デジタルテレビ１は、サーバが検出された後、コンテンツリストを要求する前に、ＨＤＭＩに接続された機器のＩＰアドレスを要求するものとしている。しかし、デジタルテレビ１は、このＩＰアドレスの要求を、ステップＳ１１４のコンテンツリスト要求を行なったあとや、ステップＳ１１５でコンテンツを選択したあと、あるいは、ＨＤＭＩケーブルの抜入が検出されたあと行なってもよい。【００７２】
また、本実施の形態では、デジタルテレビ１は、他の機器がデジタルテレビ１とケーブルで接続されているかの判断を、ユーザによるコンテンツの選択後、選択されたコンテンツを保存している機器に対してのみ行なっている。しかし、デジタルテレビ１は、この判断を、ユーザによる指示によらず行なってもよい。【００７３】
以上のように、デジタルテレビ１は、ＨＤＭＩのＣＥＣ信号により取得したＩＰアドレスと、コンテンツが保存されているネットワーク上のサーバのＩＰアドレスとを比較することにより、ユーザの特別な操作なしに、接続先の機器が視聴したいコンテンツをＨＤＭＩ経由で出力可能なときには接続先の機器にＨＤＭＩを優先させて出力させることができる。視聴したいコンテンツがＭＰＥＧ２で圧縮されたハイビジョンのコンテンツの場合には、約２０Ｍｂｐｓのビットレートのネットワーク転送能力が必要になる。そのため、ネットワークによりストリームデータを転送すると、ネットワーク全体に負荷をかける。そればかりでなく、転送するストリームデータそのものが転送能力不足により、パケットの損失や遅延などが発生し、最終的に再生される映像・音声にノイズが発生する可能性がでてくる。そのため、ネットワーク経由でストリームデータを転送するよりも、確実で高品質な映像信号および音声信号を転送できるＨＤＭＩを優先させるほうが好ましい。【００７４】
［実施の形態２］
以下に、この発明の実施の形態２のネットワークＡＶ機器について説明する。【００７５】
図６は、この発明の実施の形態２のネットワークＡＶ機器によって構成されるＡＶネットワークシステムの構成例を示す図である。図６のＡＶネットワークシステムは実施の形態１のＡＶネットワークシステムとほぼ同様だが、デジタルテレビ１のほかにデジタルテレビ１０がある点が異なっている。なお、デジタルテレビ１０はデジタルテレビ１とほぼ同様の機能をもつものとする。デジタルテレビ１０を操作するためのリモコン３１についてもリモコン３とほぼ同様のものとする。【００７６】
デジタルテレビ１にはＨＤＭＩケーブル４でレコーダ２が接続されている。一方、デジタルテレビ１０にはレコーダ２が接続されていない。デジタルテレビ１０の内部構成についてはデジタルテレビ１とほぼ同様なので、デジタルテレビ１０の説明は繰り返さない。また、デジタルテレビ１とデジタルテレビ１０とは別の部屋にあることを想定する。【００７７】
図７は、図６に示したデジタルテレビ１あるいはデジタルテレビ１０の画面上で、ネットワークに接続されている第１のレコーダ２のコンテンツ一覧を表示させ、選択されたコンテンツを第１のレコーダ２にＨＤＭＩケーブル４で接続されたデジタルテレビ１、あるいは、第１のレコーダ２にＨＤＭＩケーブルで接続されていないデジタルテレビ１０で視聴する場合の、デジタルテレビ１、デジタルテレビ１０、第１のレコーダ２の動作について示すシーケンス図である。なお、この図では、デジタルテレビ１での視聴とデジタルテレビ１０での視聴とは便宜上同時に発生しているような記述になっているが、必ずしも同時に発生する必要はない。【００７８】
デジタルテレビ１、第１のレコーダ２、デジタルテレビ１０は、実施の形態１と同様に、それぞれ、ステップＳ７１１、ステップＳ７３１、ステップＳ７２１において起動するともに、ＤＨＣＰサーバからＩＰアドレスを取得する。ただし、実施の形態１と同様に、ＩＰアドレスは、それぞれの機器を識別するための識別情報の一例であり、ＭＡＣアドレス、あるいはホストネームなどであってもよい。取得されたＩＰアドレスは、それぞれの機器のメモリに記憶される。【００７９】
さらに、実施の形態１と同様に、デジタルテレビ１およびデジタルテレビ１０は、それぞれ、ステップＳ７１２、ステップＳ７３２において、ＡＶネットワークに接続されたサーバの検索を行なう。本実施の形態においてはレコーダ２がコンテンツサーバの役割を果たすことになるので、ステップＳ７２２において、第１のレコーダ２が応答を返信する。ここで、第１のレコーダ２は、実施の形態１と同様に、定期的なサーバの検索を待たずして、応答をネットワークにブロードキャストするようにしてもよい。【００８０】
次に、第１のレコーダ２は、ステップＳ７２３において、第１のレコーダ２にＨＤＭＩで接続されている機器に対して、ＨＤＭＩのＣＥＣ信号により、接続先の機器のＩＰアドレスを要求する。ここでも、ＩＰアドレスは、それぞれの機器を識別するための識別情報の一例であって、ＭＡＣアドレス、あるいはホストネームなどであってもよい。また、第１のレコーダ２は、ＨＤＭＩのＣＥＣ信号の代わりに、ＥＤＩＤ信号、またはＤＤＣ信号により、識別情報を取得してもよい。図７において、第１のレコーダ２にＨＤＭＩで接続されている機器はデジタルテレビ１である。そのため、ステップＳ７１３において、デジタルテレビ１はステップＳ７１１で取得したＩＰアドレスをＨＤＭＩのＣＥＣ信号にて応答する。【００８１】
デジタルテレビ１やデジタルテレビ１０を操作するユーザは、第１のレコーダ２に保存されたコンテンツの視聴をしたいとき、リモコン操作を行なう。リモコン操作によりデジタルテレビ１はステップＳ７１４において、ステップＳ７１２で検索されたサーバに対して、コンテンツリストを要求する。第１のレコーダ２はコンテンツリスト要求を受信しステップＳ７２４において、コンテンツリストを応答し、ステップＳ７１５、ステップＳ７３５において、デジタルテレビ１、デジタルテレビ１０は、それぞれ、画面上に視聴できるコンテンツの一覧を表示する。【００８２】
次に、デジタルテレビ１およびデジタルテレビ１０は、それぞれ、ステップＳ７１６、ステップＳ７３６において、ユーザのリモコン操作に応じて、デジタルテレビ１およびデジタルテレビ１０で視聴されるコンテンツをコンテンツ一覧から選択する。そして、デジタルテレビ１およびデジタルテレビ１０は、選択されたコンテンツに応じて、コンテンツ保存元であるレコーダ２に対して、コンテンツ再生／転送要求を送信する（ステップＳ７１７、ステップＳ７３７）。【００８３】
コンテンツ再生／転送要求を受信した第１のレコーダ２は、ステップＳ７２５において、要求送信元のＩＰアドレスと、ＨＤＭＩのＣＥＣ信号で取得したＨＤＭＩで接続された機器のＩＰアドレスとを比較する。それらが一致した場合には、第１のレコーダ２は、ステップＳ７２６において、デジタルテレビ１に対して、入力を第１のレコーダ２が接続されたＨＤＭＩ入力に切り替える要求をＨＤＭＩのＣＥＣ信号、あるいはネットワーク経由で送信する。入力切り替え要求を受信したデジタルテレビ１は、ステップＳ７１８において、入力を第１のレコーダ２が接続されたＨＤＭＩ入力に切り替える。【００８４】
次に、第１のレコーダ２は、ステップＳ７２７において選択されたコンテンツのストリームデータを記録媒体２１から順次読み出す。また、第１のレコーダ２は、ストリームデータを、デコーダ１６でデコードし、デコードされた映像信号および音声信号をＨＤＭＩで出力する。デジタルテレビ１は、ステップＳ７１９において入力された映像信号をディスプレイに表示し、入力された音声信号をスピーカに出力する。【００８５】
一方、第１のレコーダ２は、ステップＳ７２５において、デジタルテレビ１０からコンテンツ再生／転送要求を受信した場合には、要求送信元のＩＰアドレスと、ＨＤＭＩのＣＥＣ信号で取得したＨＤＭＩで接続された機器のＩＰアドレスは一致しないと判断する。そのため、第１のレコーダ２は、ステップＳ７２８において、選択されたコンテンツのストリームデータを記録媒体２１から読み出す。また、第１のレコーダ２は、ストリームデータをネットワークインタフェース１５からデジタルテレビ１０に対してネットワークを経由して転送する。デジタルテレビ１０は、ステップＳ７３７において、受信したストリームデータをデコードする。また、デジタルテレビ１０は、デコードした映像信号をディスプレイに表示し、デコードした音声信号をスピーカに出力する。【００８６】
なお、本実施の形態では、第１のレコーダ２は、ＨＤＭＩに接続された機器のＩＰアドレスの要求（ステップＳ７２３）を、ステップＳ７２２の検索応答の後、コンテンツリスト要求（ステップＳ７１４、ステップＳ７３４）の前に行なっているものとしている。しかし、第１のレコーダ２は、このＩＰアドレスの要求を他のタイミングで行なっても構わない。例えば、レコーダ２は、ステップＳ７２４のコンテンツリストの要求を受けたあとや、ステップＳ７１７、ステップＳ７３７のコンテンツ再生／転送要求を受けたあと、あるいは、ＨＤＭＩケーブルの挿入が検出されたあとＩＰアドレスの要求を行なってもよい。【００８７】
また、本実施の形態では、第１のレコーダ２が、ユーザによるコンテンツ再生／転送要求に応じて、コンテンツの要求元の機器とケーブルで接続されているかどうか判断し、その判断結果に応じて、ネットワークまたはケーブルを介してコンテンツの受信を行なうとしている。しかし、第１のレコーダ２は、他の機器とケーブルで接続されているかの判断を、ユーザの指示なしに行なってもよい。第１のレコーダ２は、他の機器とケーブルで接続されていると判断した場合、その機器にケーブルを介してコンテンツの送信を行なう。第１のレコーダ２は、他の機器とケーブルで接続されていないと判断した場合、その機器にネットワークを介してコンテンツの送信を行なう。【００８８】
以上のように、第１のレコーダ２は、ＨＤＭＩのＣＥＣ信号により取得したＩＰアドレスとコンテンツの再生／転送要求を送信してきた機器のＩＰアドレスとを比較することにより、ユーザの特別な操作なしに、視聴したいコンテンツをＨＤＭＩ経由で出力可能なときにはＨＤＭＩを優先させて出力することができる。
【図１】
2009016936.tif 000003
【図２】
2009016936.tif 000004
【図３】
2009016936.tif 000005
【図４】
2009016936.tif 000006
【図５】
2009016936.tif 000007
【図６】
2009016936.tif 000008
【図７】
2009016936.tif 000009
【手続補正書】
【提出日】平成21年1月16日(2009.1.16)
【手続補正１】
【補正対象書類名】特許請求の範囲
【補正対象項目名】全文
【補正方法】変更
【補正の内容】
【特許請求の範囲】
【請求項１】
複数の外部機器（２、２０）とネットワーク（５）で接続され、前記複数の外部機器の中の一部の前記外部機器（２）とケーブル（４）で接続されたネットワークＡＶ機器（１）であって、
前記ネットワーク（５）を介して、前記複数の外部機器（２、２０）が持つ第１の識別情報を検出する第１の検出部（１１、Ｓ１１２）と、
前記ケーブル（４）を介して、前記一部の外部機器（２）から第２の識別情報を検出する第２の検出部（１１、Ｓ１１３）と、
前記第１の検出部（１１、Ｓ１１２）で検出された第１の識別情報と、前記第２の検出部（１１、Ｓ１１３）で検出された第２の識別情報とを照合し、前記複数の外部機器（２、２０）のうち前記ネットワークＡＶ機器（１）と前記ケーブル（４）により接続されている前記外部機器（２）を特定する判断部（１１、Ｓ１１７）とを備える、ネットワークＡＶ機器。
【請求項２】
前記第１の識別情報と前記第２の識別情報とが一致する場合には、一致した第２の識別情報に対応する前記外部機器は前記ネットワークＡＶ機器（１）と前記ケーブル（４）により接続されていると判断し、前記ケーブル（４）を経由して、前記外部機器に対して、コンテンツを出力する、請求の範囲第１項に記載のネットワークＡＶ機器。
【請求項３】
第１の識別情報と前記第２の識別情報とが一致しない場合には、前記第１の識別情報に対応する前記外部機器は前記ネットワークＡＶ機器（１）と前記ケーブル（４）により接続されていないと判断し、前記ネットワーク（５）を経由して、前記外部機器に対して、コンテンツを出力する、請求の範囲第１項に記載のネットワークＡＶ機器。
【請求項４】
ユーザからの指示を受付ける入力部（２２）と、
前記入力部（２２）への指示に応じて前記複数の外部機器（２、２０）から１つの前記外部機器を選択する選択部（２１、Ｓ１１６）と、
前記選択部（２１、Ｓ１１６）により選択された前記外部機器が、前記判断部（１１、Ｓ１１７）により前記ネットワークＡＶ機器（１）と前記ケーブル（４）により接続されていると判断された前記外部機器である場合、前記選択された外部機器に、前記ケーブル（４）を介してコンテンツを送信させる指示部（１１、Ｓ１１９）とをさらに備える、請求の範囲第１項に記載のネットワークＡＶ機器。
【請求項５】
前記選択された外部機器が前記ケーブル（４）を介して送信したコンテンツを受信するケーブル受信部（１９）と、
前記選択された外部機器が前記ネットワーク（５）を介して送信したコンテンツを受信するネットワーク受信部（１５）とをさらに備え、
前記選択された外部機器が、前記判断部（１１、Ｓ１１７）により前記ネットワークＡＶ機器と前記ケーブルにより接続されていると判断された前記外部機器である場合、前記ケーブル受信部（１９）を選択して前記コンテンツの受信を行なう、請求の範囲第４項に記載のネットワークＡＶ機器。
【請求項６】
前記第２の検出部（１１、Ｓ１１３）は、前記選択部（２１、Ｓ１１６）による前記外部機器の選択に応じて、前記第２の識別情報の検出を行なう、請求の範囲第４項に記載のネットワークＡＶ機器。
【請求項７】
ユーザからの指示を受付ける入力部（２２）と、
前記入力部（２２）への指示に応じて前記複数の外部機器から１つの前記外部機器を選択する選択部（２１、Ｓ１１６）と、
前記選択部（２１、Ｓ１１６）により選択された前記外部機器が、前記判断部（１１、Ｓ１１７）により前記ネットワークＡＶ機器（１）と前記ケーブル（４）により接続されていないと判断された前記外部機器である場合、選択された前記外部機器に、前記ネットワーク（５）を介してコンテンツを送信させる指示部（１１、Ｓ１２２）とをさらに備える、請求の範囲第１項に記載のネットワークＡＶ機器。
【請求項８】
前記ネットワーク（５）を介して受信したコンテンツをデコードするデコーダ（１６）をさらに備える請求の範囲第７項に記載のネットワークＡＶ機器。
【請求項９】
コンテンツを記憶する記憶部（１４）と、
前記外部機器からのコンテンツ要求を受信する要求受信部（１９）と、
前記コンテンツ要求を送信した前記外部機器が、前記判断部（１１、Ｓ１１７）により前記ネットワークＡＶ機器と前記ケーブル（４）により接続されていると判断された前記外部機器である場合、前記ケーブル（４）を介して前記コンテンツ要求に応じたコンテンツを前記コンテンツ要求を送信した前記外部機器に送信する送信部（１９）とをさらに備える請求の範囲第１項に記載のネットワークＡＶ機器。
【請求項１０】
前記送信部（１９）は、前記コンテンツ要求を送信した前記外部機器が、前記判断部（１１、Ｓ１１７）により前記ネットワークＡＶ器（１）と前記ケーブル（４）により接続されていると判断された前記外部機器である場合、前記コンテンツ要求を送信した前記外部機器に、前記ケーブル（４）を介したコンテンツの受信および受信したコンテンツの再生の指示をさらに送信する、請求の範囲第９項に記載のネットワークＡＶ機器。
【請求項１１】
前記第２の検出部（１１、Ｓ１１３）は、前記要求受信部（１９）による前記コンテンツ要求の受信に応じて、前記第２の識別情報の検出を行なう、請求の範囲第９項に記載のネットワークＡＶ機器。
【請求項１２】
コンテンツを記憶する記憶部（１４）と、
前記外部機器からのコンテンツ要求を受信する要求受信部（１９）と、
前記コンテンツ要求を送信した前記外部機器が、前記判断部（１１、Ｓ１１７）により前記ネットワークＡＶ機器（１）と前記ケーブル（４）により接続されていないと判断された前記外部機器である場合、前記ネットワーク（５）を介して前記コンテンツ要求に応じたコンテンツを前記コンテンツ要求を送信した前記外部機器に送信する送信部（１９）とをさらに備える請求の範囲第１項に記載のネットワークＡＶ機器。
【請求項１３】
前記送信部（１９）は、前記コンテンツ要求を送信した前記外部機器に、前記コンテンツをデコードさせる指示をさらに送信する、請求の範囲第１２項に記載のネットワークＡＶ機器。
【請求項１４】
前記第１の検出部（１１、Ｓ１１２）は、前記外部機器が起動後に発信するデータを検出して、起動した前記外部機器の前記第１の識別情報の検出を行なう、請求の範囲第１項に記載のネットワークＡＶ機器。
【請求項１５】
前記第２の検出部は、前記外部機器への前記ケーブルの抜入を検知し、前記ケーブルの抜入の検知に応じて、前記第２の識別情報の検出を行なう、請求の範囲第１項に記載のネットワークＡＶ機器。
【請求項１６】
前記ケーブル（４）はＨＤＭＩケーブルである請求の範囲第１項に記載のネットワークＡＶ機器。
【請求項１７】
前記ケーブル（４）の前記第２の識別情報を転送する制御用信号はＣＥＣ信号である請求の範囲第１６項に記載のネットワークＡＶ機器。
【請求項１８】
前記ケーブル（４）の前記第２の識別情報を転送する制御用信号はＥＤＩＤ信号である請求の範囲第１６項に記載のネットワークＡＶ機器。
【請求項１９】
前記ケーブル（４）の前記第２の識別情報を転送する制御用信号はＤＤＣ信号である請求の範囲第１６項に記載のネットワークＡＶ機器。
【請求項２０】
前記第１の識別情報および前記第２の識別情報はＩＰアドレスである請求の範囲第１項に記載のネットワークＡＶ機器。
【請求項２１】
前記第１の識別情報および前記第２の識別情報はＭＡＣアドレスである請求の範囲第１項に記載のネットワークＡＶ機器。
【請求項２２】
前記第１の識別情報および前記第２の識別情報はホストネームである請求の範囲第１項に記載のネットワークＡＶ機器。
【請求項２３】
請求の範囲第２項から第２２項のいずれか１項に記載のネットワークＡＶ機器を複数備えるＡＶネットワークシステム。
【手続補正２】
【補正対象書類名】明細書
【補正対象項目名】０００２
【補正方法】変更
【補正の内容】
【０００２】
が、その機器と他の機器とがどのように接続されているか分からない。そのため、コンテンツが保存されている機器であるＨＤＤレコーダと、コンテンツを表示する機器であるデジタルテレビとが、映像と音声の信号を伝送するためのケーブル、例えばＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）に準拠するケーブルで接続されているような場合に次のような問題がある。
［０００７］
すなわち、映像音声信号を、出来るだけネットワークの負荷を低減するように送信し、よりきれいな映像を安定してデジタルテレビで視聴するためには、映像音声信号を、ネットワークを経由せずにＨＤＭＩケーブルにより伝送するのが望ましい。特許文献１に記載の方法では、デジタルテレビとＨＤＤレコーダとの接続方法を特定できないので、ネットワークを使ってデータを伝送することになってしまう。
［０００８］
さらに、上記特許文献１に記載の方法では、コンテンツが保存されている機器が目の前にあるということは特定できる。しかし、コンテンツ一覧で保存されていたコンテンツを視聴したい場合には、ユーザ自らがデジタルテレビの入力切り替えを行ない、リモコンをコンテンツが保存されている機器のリモコンに持ち替えるという手間が必要になる。
［０００９］
本発明は、上記のような問題を解決するためになされたものであって、ネットワーク上のどの機器が、ケーブルで接続されている機器であるか特定できる機器を提供することを課題とする。
［００１０］
さらには、選択されたコンテンツを出力する際に、コンテンツが保存されている機器の映像音声の出力先と、コンテンツを視聴する機器の入力先を自動的に選択できる機器を提供することを課題とする。
課題を解決するための手段
［００１１］
１つの局面における本願発明は、複数の外部機器とネットワークで接続され、外部機器の中の一部の外部機器とケーブルで接続されたネットワークＡＶ機器であって、ネットワークを介して、複数の外部機器が持つ第１の識別情報を検出する第１の検出部と、ケーブルを介して、一部の外部機器から第２の識別情報を検出する第２の検出部と、第１の検出部で検出された第１の識別情報と、第２の検出部で検出された第２の識別情報とを照合し、複数の外部機器のうちネットワークＡＶ機器とケーブルにより接
【手続補正３】
【補正対象書類名】明細書
【補正対象項目名】０００３
【補正方法】変更
【補正の内容】
【０００３】
続されている外部機器を特定する判断部とを備える。
［００１２］
好ましくは、第１の識別情報と第２の識別情報とが一致する場合には、一致した第２の識別情報に対応する外部機器はネットワークＡＶ器とケーブルにより接続されていると判断し、ケーブルを経由して、外部機器に対して、コンテンツを出力する。
［００１３］
好ましくは、第１の識別情報と第２の識別情報とが一致しない場合には、第１の識別情報に対応する外部機器はネットワークＡＶ機器とケーブルにより接続されていないと判断し、ネットワークを経由して、当該外部機器に対して、コンテンツを出力する。
［００１４］
好ましくは、ユーザからの指示を受付ける入力部と、入力部への指示に応じて複数の外部機器から１つの外部機器を選択する選択部と、選択部により選択された外部機器が、判断部によりネットワークＡＶ機器とケーブルにより接続されていると判断された外部機器である場合、選択された外部機器に、ケーブルを介してコンテンツを送信させる指示部とをさらに備える。
［００１５］
さらに好ましくは、選択された外部機器がケーブルを介して送信したコンテンツを受信するケーブル受信部と、選択された外部機器がネットワークを介して送信したコンテンツを受信するネットワーク受信部とをさらに備え、選択された外部機器が、判断部によりネットワークＡＶ機器とケーブルにより接続されていると判断された機器である場合、ケーブル受信部を選択してコンテンツの受信を行なう。
［００１６］
好ましくは、第２の検出部は、選択部による外部機器の選択に応じて、第２の識別情報の検出を行なう。
［００１７］
好ましくは、ユーザからの指示を受付ける入力部と、入力部への指示に応じて複数の外部機器から１つの外部機器を選択する選択部と、選択部により選択された外部機器が、判断部によりネットワークＡＶ機器とケーブルにより接続されていないと判断された外部機器である場合、選択された外部機器に、ネットワークを介してコンテンツを送信させる指示部とをさらに備える。
［００１８］
さらに好ましくは、ネットワークを介して受信したコンテンツをデコードするデコーダをさらに備える。
［００１９］
好ましくは、コンテンツを記憶する記憶部と、外部機器からのコンテンツ要求を受信
【手続補正４】
【補正対象書類名】明細書
【補正対象項目名】０００４
【補正方法】変更
【補正の内容】
【０００４】
する要求受信部と、コンテンツ要求を送信した外部機器が、判断部によりネットワークＡＶ機器とケーブルにより接続されていると判断された外部機器である場合、ケーブルを介してコンテンツ要求に応じたコンテンツをコンテンツ要求を送信した外部機器に送信する送信部とをさらに備える。
［００２０］
さらに好ましくは、送信部は、コンテンツ要求を送信した外部機器が、判断部によりネットワークＡＶ機器とケーブルにより接続されていると判断された外部機器である場合、コンテンツ要求を送信した外部機器に、ケーブルを介したコンテンツの受信および受信したコンテンツの再生の指示をさらに送信する。
［００２１］
さらに好ましくは、第２の検出部は、要求受信部によるコンテンツ要求の受信に応じて、第２の識別情報の検出を行なう。
［００２２］
好ましくは、コンテンツを記憶する記憶部と、外部機器からのコンテンツ要求を受信する要求受信部と、コンテンツ要求を送信した外部機器が、判断部によりネットワークＡＶ機器とケーブルにより接続されていないと判断された外部機器である場合、ネットワークを介してコンテンツ要求に応じたコンテンツをコンテンツ要求を送信した外部機器に送信する送信部とをさらに備える。
［００２３］
さらに好ましくは、送信部は、コンテンツ要求を送信した外部機器に、コンテンツをデコードさせる指示をさらに送信する。
［００２４］
好ましくは、第１の検出部は、外部機器が起動後に発信するデータを検出して、起動した外部機器の第１の識別情報の検出を行なう。
［００２５］
好ましくは、第２の検出部は、外部機器へのケーブルの抜入を検知し、ケーブルの抜入の検知に応じて、第２の識別情報の検出を行なう。
［００２６］
好ましくは、ケーブルはＨＤＭＩケーブルである。
さらに好ましくは、ケーブルの第２の識別情報を転送する制御用信号はＣＥＣ信号である。
［００２７］
さらに好ましくは、ケーブルの第２の識別情報を転送する制御用信号はＥＤＩＤ信号である。
さらに好ましくは、ケーブルの第２の識別情報を転送する制御用信号はＤＤＣ信号である。
［００２８］
好ましくは、第１のネットワーク識別情報および第２のネットワーク識別情報はＩＰアドレスである。
［００２９］
好ましくは、第１のネットワーク識別情報および第２のネットワーク識別情報はＭＡＣ
【手続補正書】
【提出日】平成22年1月20日(2010.1.20)
【手続補正１】
【補正対象書類名】特許請求の範囲
【補正対象項目名】全文
【補正方法】変更
【補正の内容】
【特許請求の範囲】
【請求項１】
外部機器とネットワークで接続され、前記外部機器の中の一部の前記外部機器とケーブルで接続されたネットワークＡＶ機器であって、
前記ネットワークを介して、前記外部機器が持つ第１の識別情報を検出する第１の検出部と、
前記ケーブルを介して、前記一部の外部機器から第２の識別情報を検出する第２の検出部と、
前記第１の検出部で検出された第１の識別情報と、前記第２の検出部で検出された第２の識別情報とを照合し、前記外部機器のうち前記ネットワークＡＶ機器と前記ケーブルにより接続されている前記外部機器を特定する判断部とを備える、ネットワークＡＶ機器。
【請求項２】
前記第１の識別情報と前記第２の識別情報とが一致する場合には、一致した第２の識別情報に対応する前記外部機器は前記ネットワークＡＶ機器と前記ケーブルにより接続されていると判断し、前記ケーブルを経由して、前記外部機器に対して、コンテンツを出力する、請求項１に記載のネットワークＡＶ機器。
【請求項３】
前記第１の識別情報と前記第２の識別情報とが一致しない場合には、前記第１の識別情報に対応する前記外部機器は前記ネットワークＡＶ機器と前記ケーブルにより接続されていないと判断し、前記ネットワークを経由して、前記外部機器に対して、コンテンツを出力する、請求項１または２に記載のネットワークＡＶ機器。
【請求項４】
前記ネットワークＡＶ機器は複数の前記外部機器と接続されており、
ユーザからの指示を受付ける入力部と、
前記入力部への指示に応じて前記複数の外部機器から１つの前記外部機器を選択する選択部と、
前記選択部により選択された前記外部機器が、前記判断部により前記ネットワークＡＶ機器と前記ケーブルにより接続されていると判断された前記外部機器である場合、前記選択された外部機器に、前記ケーブルを介してコンテンツを送信させる指示部とをさらに備える、請求項１に記載のネットワークＡＶ機器。
【請求項５】
前記選択された外部機器が前記ケーブルを介して送信したコンテンツを受信するケーブル受信部と、
前記選択された外部機器が前記ネットワークを介して送信したコンテンツを受信するネットワーク受信部とをさらに備え、
前記選択された外部機器が、前記判断部により前記ネットワークＡＶ機器と前記ケーブルにより接続されていると判断された前記外部機器である場合、前記ケーブル受信部を選択して前記コンテンツの受信を行なう、請求項４に記載のネットワークＡＶ機器。
【請求項６】
前記第２の検出部は、前記選択部による前記外部機器の選択に応じて、前記第２の識別情報の検出を行なう、請求項４に記載のネットワークＡＶ機器。
【請求項７】
前記ネットワークＡＶ機器は複数の前記外部機器と接続されており、
ユーザからの指示を受付ける入力部と、
前記入力部への指示に応じて前記複数の外部機器から１つの前記外部機器を選択する選択部と、
前記選択部により選択された前記外部機器が、前記判断部により前記ネットワークＡＶ機器と前記ケーブルにより接続されていないと判断された前記外部機器である場合、選択された前記外部機器に、前記ネットワークを介してコンテンツを送信させる指示部とをさらに備える、請求項１に記載のネットワークＡＶ機器。
【請求項８】
前記ネットワークを介して受信したコンテンツをデコードするデコーダをさらに備える請求項７に記載のネットワークＡＶ機器。
【請求項９】
コンテンツを記憶する記憶部と、
前記外部機器からのコンテンツ要求を受信する要求受信部と、
前記コンテンツ要求を送信した前記外部機器が、前記判断部により前記ネットワークＡＶ機器と前記ケーブルにより接続されていると判断された前記外部機器である場合、前記ケーブルを介して前記コンテンツ要求に応じたコンテンツを前記コンテンツ要求を送信した前記外部機器に送信する送信部とをさらに備える請求項１に記載のネットワークＡＶ機器。
【請求項１０】
前記送信部は、前記コンテンツ要求を送信した前記外部機器が、前記判断部により前記ネットワークＡＶ機器と前記ケーブルにより接続されていると判断された前記外部機器である場合、前記コンテンツ要求を送信した前記外部機器に、前記ケーブルを介したコンテンツの受信および受信したコンテンツの再生の指示をさらに送信する、請求項９に記載のネットワークＡＶ機器。
【請求項１１】
前記第２の検出部は、前記要求受信部による前記コンテンツ要求の受信に応じて、前記第２の識別情報の検出を行なう、請求項９に記載のネットワークＡＶ機器。
【請求項１２】
コンテンツを記憶する記憶部と、
前記外部機器からのコンテンツ要求を受信する要求受信部と、
前記コンテンツ要求を送信した前記外部機器が、前記判断部により前記ネットワークＡＶ機器と前記ケーブルにより接続されていないと判断された前記外部機器である場合、前記ネットワークを介して前記コンテンツ要求に応じたコンテンツを前記コンテンツ要求を送信した前記外部機器に送信する送信部とをさらに備える請求項１に記載のネットワークＡＶ機器。
【請求項１３】
前記送信部は、前記コンテンツ要求を送信した前記外部機器に、前記コンテンツをデコードさせる指示をさらに送信する、請求項１２に記載のネットワークＡＶ機器。
【請求項１４】
前記第１の検出部は、前記外部機器が起動後に発信するデータを検出して、起動した前記外部機器の前記第１の識別情報の検出を行なう、請求項１から１３のいずれかに記載のネットワークＡＶ機器。
【請求項１５】
前記第２の検出部は、前記外部機器への前記ケーブルの抜入を検知し、前記ケーブルの抜入の検知に応じて、前記第２の識別情報の検出を行なう、請求項１から１４のいずれかに記載のネットワークＡＶ機器。
【請求項１６】
前記ケーブルはＨＤＭＩケーブルである請求項１から１５のいずれかに記載のネットワークＡＶ機器。
【請求項１７】
前記ケーブルの前記第２の識別情報を転送する制御用信号はＣＥＣ信号である請求項１６に記載のネットワークＡＶ機器。
【請求項１８】
前記ケーブルの前記第２の識別情報を転送する制御用信号はＥＤＩＤ信号である請求項１６に記載のネットワークＡＶ機器。
【請求項１９】
前記ケーブルの前記第２の識別情報を転送する制御用信号はＤＤＣ信号である請求項１６に記載のネットワークＡＶ機器。
【請求項２０】
前記第１の識別情報および前記第２の識別情報はＩＰアドレスである請求項１から１９のいずれかに記載のネットワークＡＶ機器。
【請求項２１】
前記第１の識別情報および前記第２の識別情報はＭＡＣアドレスである請求項１から１９のいずれかに記載のネットワークＡＶ機器。
【請求項２２】
前記第１の識別情報および前記第２の識別情報はホストネームである請求項１から１９のいずれかに記載のネットワークＡＶ機器。
【請求項２３】
請求項１から２２のいずれか１項に記載のネットワークＡＶ機器を複数備えるＡＶネットワークシステム。
【国際調査報告】
2009016936.tif 000010
2009016936.tif 000011
2009016936.tif 000012
2009016936.tif 000013